(57)【要約】  本発明は、入力としての第１の機械エネルギー源（Ｍ１）を有し、他方の端部に入力トルクよりも大きい出力トルクを提供するレバーアームとして機能し、機械装置を作動させるために使用できる、特定のボールジョイント端子（３）を有する可変傾斜可動軸（２）を備えるトルクマルチプライヤー（１）に関する。本発明はまた、トルクマルチプライヤー原理に基づいて動作するエネルギー生成システムを備え、このシステムは、ボールジョイント端子（３Ａ）に関連する可動軸（２Ａ）で構成され、その端部に振動マス（１０）を有する第１のトルクマルチプライヤー（１Ａ）を採用することを特徴とする。振動マス（１０）の回転により、その重心が連続的に変位し、可動軸（２Ａ）が一定に移動する。コネクタ（３Ａ）に関連する可動軸（２Ａ）の移動は、発電機を作動させるために、発電機（１１）に結合された前記可動軸（２Ａ）の他方の端部のトルクを増倍させる。振動マス（１０）は、第２のトルクマルチプライヤー（１Ｂ）により、または、固定ベース（１９）上に放射状に配置された磁石（２１）のアセンブリにより移動される。
2021535340.tif 000002
【特許請求の範囲】
【請求項１】
特定のボールジョイント端子（３）に関連する可変傾斜可動軸（２）を備え、
前記ボールジョイント端子（３）が任意の直径をサポートし、前記軸（２）の最大４５度の傾斜を許容し、前記軸（２）がレバーとして機能し、他方の端部において入力トルクよりも高い出力トルクを提供することを特徴とするトルクマルチプライヤー。
【請求項２】
前記ボールジョイント端子（３）は、中央コネクタ（４）を備え、
前記中央コネクタ（４）には、前記可動軸（２）が２つの位置合わせ外径軸（５）に回転可能に装着され、中間リング（６）に構造化され、また２つの位置合わせ外径軸（７）に関連付けられ、これら前述したものに対して垂直に配置され、そして外部リング（８）に構造化されていることをさらに特徴とする、請求項１に記載のトルクマルチプライヤー。
【請求項３】
ボールジョイント端子（３Ａ）に関連付けられた軸（２Ａ）を備え、
前記軸（２Ａ）の一方の端部に振動マス（１０）があり、その回転により重心が一定に変位し、前記可動軸（２Ａ）が一定に移動する一方、前記軸（２Ａ）の他方の端部が発電機に結合されて、発電機を作動させることを特徴とする、請求項１に記載のトルクマルチプライヤーを使用するエネルギー生成システム。
【請求項４】
前記振動マス（１０）は第２のトルクマルチプライヤー（１Ｂ）によって動き始め、その出力は前記振動マス（１０）に適用されることをさらに特徴とする、請求項３に記載のエネルギー生成システム。
【請求項５】
前記トルクマルチプライヤー（１Ｂ）の入力は、軸（２Ｂ）の端部を回転させる大歯車（１４）を小歯車（１３）により回転させるモーター（１２）によって提供されることをさらに特徴とする、請求項３および４に記載のエネルギー生成システム。
【請求項６】
前記車軸（２Ｂ）の他方の端部は、前記振動マス（１０）の移動を得るために伝達機構に関連する第１の歯車（１４）に平行なディスク（１５）に関連付けられていることをさらに特徴とする、請求項３、請求項４及び請求項５に記載のエネルギー生成システム。
【請求項７】
伝達機構は、軸に結合された２つの円錐歯車（１６）からなり、軸の他方の端部では、回転マス（１０）が配置された固定ベース（１９）上に存在する歯列（ｄｅｎｔａｔｉｏｎｓ）（１８）と協働する歯車（１７）に関連付けられており、前記ベース（１９）上で前記マス（１０）の回転を提供することをさらに特徴とする、請求項６に記載のエネルギー生成システム。
【請求項８】
前記振動マス（１０）は、前記固定ベース（１９）上に放射状に配置された磁石（２１）のセットにより移動されることをさらに特徴とする、請求項３に記載のエネルギー生成システム。
【発明の詳細な説明】
【技術分野】
【０００１】
本発明は、農業機械、自動車、海運業、または、他の機能において力を増倍する必要がある全ての応用分野におけるパワー・テイクオフ（動力取出）で使用できる、多重用途を有するトルクマルチプライヤーシステムに関する。提案されたシステムの新規性は、２つの機械装置を連結するために、任意の直径と最大４５度の傾斜をサポートする、前例のないボールジョイント端子を有する傾斜可動軸を使用し、ここで、前記軸が、入力装置に対する出力装置のトルクを増倍させるレバーアームとして機能することを含む。
【０００２】
本発明はまた、トルクマルチプライヤー原理に基づいて動作するエネルギー生成システムを備える。このシステムは、ボールジョイント端子と同じ傾斜の可動軸を使用して、上端の振動マスを軸の下端の発電機に連結することで構成される。振動マスに力を加えると、重心が軸から外れて移動する。したがって、この力を振動マスに絶えず加えると、軸が連続的に回転する。前述の概念により、出力端で発生するトルクは、軸を動かし続けるために振動マスに加えられる必要なトルクよりもはるかに高い。このシステムでトルク発生を高めるための変数は、軸の長さと直径である。
【背景技術】
【０００３】
この技術分野の最新技術では、歯付きベルト、カルダン軸、コネクティングロッド／クランク機構、およびチェーンに関連する位置合わせ歯車などの運動伝達機構（移動伝達機構：ｍｏｖｅｍｅｎｔ  ｔｒａｎｓｍｉｓｓｉｏｎ  ｍｅｃｈａｎｉｓｍｓ）を含む。従来のトランスミッションシステム（ｔｒａｎｓｍｉｓｓｉｏｎ  ｓｙｓｔｅｍｓ）では、システムの速度を上げるために、または、より大きな努力の状況（例えば、斜面上で）で速度を維持するためには、力を増大させる必要がある。
【０００４】
この技術分野の技術者が本発明を完全に理解し実施するために、以下に列挙される添付の図面に基づいて、その複製を可能にするための明確で正確かつ十分な方法で説明する。添付の図面は、添付の図面は、特許の範囲を限定することを意図するものではなく、本明細書で明らかにされた本発明の概念の可能な実施形態の例示にすぎず、固有の実施形態を示すものではない。
【図面の簡単な説明】
【０００５】
【図１】トルクマルチプライヤーの好適な実施形態の斜視図である。
【図２】本発明のボールジョイント端子の斜視図である。
【図３】図３に示すボールジョイント端子の上面図である。
【図４】トルクマルチプライヤーに基づくエネルギー生成システムの第１の実施形態の斜視図である。
【図５】トルクマルチプライヤーに基づくエネルギー生成システムの第１の実施形態の側面図である。
【図６】トルクマルチプライヤーに基づくエネルギー生成システムの第１の実施形態の上面図である。
【図７】トルクマルチプライヤーに基づくエネルギー生成システムの第１の実施形態の背面図である。
【図８】トルクマルチプライヤーに基づくエネルギー生成システムの第２の実施形態の斜視図である。
【図９】トルクマルチプライヤーに基づくエネルギー生成システムの第２の実施形態の側面図である。
【図１０】トルクマルチプライヤーに基づくエネルギー生成システムの第２の実施形態の上面図である。
【発明を実施するための形態】
【０００６】
図１を参照すると、本明細書で説明および明らかにされた本発明は、第１の機械エネルギー源（Ｍ１）を連結し、他方の端部に入力トルクよりも高い出力トルクを提供するレバーアームとして機能し、機械出力装置（Ｍ２）を駆動するために使用できる、特定のボールジョイント端子（３）を有する可変傾斜可動軸（２）を備えるトルクマルチプライヤー（１）に関する。
【０００７】
この概念は、既存の従来のメカニズムと比較して大きな利点、すなわち、同じトルクを使用して斜面（坂道）で車の速度を維持したり、フラット（平地）でのサイクリングに使用したのと同じ力で上り坂をサイクリングしたりするなど、より大きな努力の状況で、加えられる力を増加させたり、システムの速度を維持したりする必要なしに、被駆動システムの速度を増加させる可能性を提示する。これは、レバーアームとして機能する軸の長さ及び／又は直径を増やし、システム出力で発生するトルクを増倍することにより発生する。
【０００８】
本発明の好適な実施形態において、可変傾斜可動軸（２）は、２つの機械装置を連結するために、任意の直径をサポートし、最大４５度の傾斜を許容するボールジョイント端子（３）に関連付けられており、これにより、前記軸（２）がレバーアームとして機能し、入力装置に対する出力装置のトルクを増倍させることができる。図２および図３に示すように、ボールジョイント端子（３）は、中央コネクタ（４）を備え、中央コネクタ（４）には、軸（２）が固定され、２つの位置合わせ外径軸（５）に回転可能に装着され、中間リング（６）に構造化され、また２つの位置合わせ外径軸（７）に関連付けられ、これら前述したものに対して垂直に配置され、そして外部リング（８）に構造化されている。この構造により、前記端子（３）に結合された軸（２）は、本発明の動作に必要な傾斜の範囲をとることができる。
【０００９】
本発明は、トルクマルチプライヤーの原理を採用するエネルギー生成システムをさらに備える。このエネルギー生成システム（９）の第１の実施形態を図４から図７に示す。このシステムは、ボールジョイント端子（３Ａ）に関連する可動軸（２Ａ）からなり、その端部に振動マス（１０）を有する第１のトルクマルチプライヤー（１Ａ）を採用する。振動マス（１０）の回転により、その重心が連続的に変位し、可動軸（２Ａ）が一定に移動する。コネクタ（３Ａ）に関連する可動軸（２Ａ）の移動は、発電機を作動させるために、発電機（１１）に結合された前記可動軸（２Ａ）の他方の端部のトルクを増倍させる。
【００１０】
振動マス（１０）は第２のトルクマルチプライヤー（１Ｂ）によって動き始め、その出力は前記振動マス（１０）に適用される。本発明の一実施形態において、トルクマルチプライヤー（１Ｂ）の入力は、ボールジョイント端子（３Ｂ）に関連する軸（２Ｂ）の端部を回転させる大歯車（１４）を小歯車（１３）により回転させるモーター（１２）によって提供される。前記軸（２Ｂ）の他方の端部は、第１の歯車（１４）に平行なディスク（１５）（または歯車、図１参照）に関連付けられている。上記の原理により、この出力は、第１の歯車（１４）に対して増倍されたトルクを有する。この増倍されたトルクは、振動マス（１０）の移動（動き）を得るために伝達機構（ｔｒａｎｓｍｉｓｓｉｏｎ  ｍｅｃｈａｎｉｓｍ）に使用される。
【００１１】
図４から図７に示す本発明の好適な実施形態において、伝達機構は、軸（図示の構造に隠されている）に結合された２つの円錐歯車（１６）からなり、軸の他方の端部では、回転マス（１０）が配置された固定ベース（１９）上に存在する歯列（ｄｅｎｔａｔｉｏｎｓ）（１８）と協働する歯車（１７）に関連付けられており、前記ベース（１９）上で前記マス（１０）の回転を提供する。
【００１２】
図８から図１０は、振動マス（１０）を回転させる方法が前の実施形態とは異なる、エネルギー生成システム（２０）の別の実施形態を示している。この実施形態において、振動マス（１０）は、固定ベース（１９）上に放射状に配置された磁石（２１）のセットにより移動されるが、振動マス（１０）は、ボールジョイント端子（３Ａ）への軸（２Ａ）により、すなわち、本発明のトルクマルチプライヤーにより発電機（１１）に結合された状態で保持される。
【００１３】
上述の実施形態は、本発明を実施するための可能な方法の単なる例に過ぎないが、それらは、唯一の可能な方法ではなく、単に発明者により最良であると考えられる方法に過ぎないものである。本発明の範囲から離れることなく、多数の修正および置換を行うことができる。例えば、ベース上で振動マスを動かすために、トルクマルチプライヤー軸の動きを伝達するために、他の幾つかの伝達機構を採用することができる。
【００１４】
本明細書は、産業上の利用可能性、新規性および進歩性を有する発明、求められる保護を受けるためのすべての要件を説明している。
【図１】
2021535340.tif 000003
【図２】
2021535340.tif 000004
【図３】
2021535340.tif 000005
【図４】
2021535340.tif 000006
【図５】
2021535340.tif 000007
【図６】
2021535340.tif 000008
【図７】
2021535340.tif 000009
【図８】
2021535340.tif 000010
【図９】
2021535340.tif 000011
【図１０】
2021535340.tif 000012
【国際調査報告】
2021535340.tif 000013
2021535340.tif 000014
2021535340.tif 000015
2021535340.tif 000016
2021535340.tif 000017
2021535340.tif 000018
2021535340.tif 000019
2021535340.tif 000020